(57)【要約】【課題】製版用フィルムを使わなくても刷版出力前の刷版どうしの関係を容易に検査をすることが可能な刷版検査装置、刷版検査方法、刷版検査処理プログラム及び当該プログラムが記録された記録媒体を提供する。【解決手段】所定の色成分毎に分版された刷版どうしの関係を検査する刷版検査装置であって、各前記刷版の画像データを取得する取得手段と、前記取得された刷版の画像データのうち、少なくとも２つの画像データに係る画像を同一の表示画面上に交互に表示する制御を行う表示制御手段と、を備える。【選択図】　図５
2004102196.tif 000002
【特許請求の範囲】
【請求項１】
所定の色成分毎に分版された刷版どうしの関係を検査する刷版検査装置であって、
各前記刷版の画像データを取得する取得手段と、
前記取得された刷版の画像データのうち、少なくとも２つの画像データに係る画像を同一の表示画面上に交互に表示する制御を行う表示制御手段と、を備えることを特徴とする刷版検査装置。
【請求項２】
請求項１に記載の刷版検査装置において、
前記画像の表示切換時間を設定する設定手段をさらに備え、
前記表示制御手段は、前記設定手段により設定された前記表示切換時間に基づいて、前記画像を同一の表示画面上に交互に表示する制御を行うことを特徴とする刷版検査装置。
【請求項３】
請求項１に記載の刷版検査装置において、
使用者から前記画像の表示切換指示を受け付ける受付手段をさらに備え、
前記表示制御手段は、前記受付手段により受け付けられた前記表示切換指示に基づいて、前記画像を同一の表示画面上に交互に表示する制御を行うことを特徴とする刷版検査装置。
【請求項４】
所定の色成分毎に分版された刷版どうしの関係を検査する刷版検査装置であって、
各前記刷版の画像データを取得する取得手段と、
前記取得された刷版の画像データのうち、少なくとも２つの画像データに係る画像を同一の表示画面上に重ねて表示する制御を行うとともに、当該画像の上下関係を変更する制御を行う表示制御手段と、を備えることを特徴とする刷版検査装置。
【請求項５】
請求項４に記載の刷版検査装置において、
前記表示制御手段は、前記上下関係にある上側の画像における、少なくとも上下の画像の重なり部分を半透明にして表示する制御を行うことを特徴とする刷版検査装置。
【請求項６】
請求項４または５に記載の刷版検査装置において、
前記画像の上下関係の変更切換時間を設定する設定手段をさらに備え、
前記表示制御手段は、前記設定手段により設定された前記変更切換時間に基づいて、前記画像の上下関係を変更する制御を行うことを特徴とする刷版検査装置。
【請求項７】
請求項４または５に記載の刷版検査装置において、
使用者から前記画像の上下関係の変更切換指示を受け付ける受付手段をさらに備え、
前記表示制御手段は、前記受付手段により受け付けられた前記変更切換指示に基づいて、当該画像の上下関係を変更する制御を行うことを特徴とする刷版検査装置。
【請求項８】
請求項１乃至７の何れか一項に記載の刷版検査装置において、
前記取得された各前記刷版の画像データ毎に所定の色を割り当てる割当手段をさらに備えることを特徴とする刷版検査装置。
【請求項９】
所定の色成分毎に分版された刷版どうしの関係を検査する刷版検査方法であって、
各前記刷版の画像データを取得する工程と、
前記取得された刷版の画像データのうち、少なくとも２つの画像データに係る画像を同一の表示画面上に交互に表示する工程と、を備えることを特徴とする刷版検査方法。
【請求項１０】
所定の色成分毎に分版された刷版どうしの関係を検査する刷版検査方法であって、
各前記刷版の画像データを取得する工程と、
前記取得された刷版の画像データのうち、少なくとも２つの画像データに係る画像を同一の表示画面上に重ねて表示するとともに、当該画像の上下関係を変更する工程と、を備えることを特徴とする刷版検査方法。
【請求項１１】
所定の色成分毎に分版された刷版どうしの関係を検査するコンピュータを、
各前記刷版の画像データを取得する取得手段、
前記取得された刷版の画像データのうち、少なくとも２つの画像データに係る画像を同一の表示画面上に交互に表示する制御を行う表示制御手段、として機能させることを特徴とする刷版検査処理プログラム。
【請求項１２】
所定の色成分毎に分版された刷版どうしの関係を検査するコンピュータを、
各前記刷版の画像データを取得する取得手段、
前記取得された刷版の画像データのうち、少なくとも２つの画像データに係る画像を同一の表示画面上に重ねて表示する制御を行うとともに、当該画像の上下関係を変更する制御を行う表示制御手段、として機能させることを特徴とする刷版検査処理プログラム。
【請求項１３】
請求項１１または１２に記載の刷版検査処理プログラムがコンピュータ読み取り可能に記録されていることを特徴とする記録媒体。
【発明の詳細な説明】
【０００１】
【発明の属する技術分野】
本発明は、所定の色成分毎に分版された刷版どうしの関係を検査する刷版検査装置及び方法の技術分野に関する。
【０００２】
【従来の技術】
印刷物は、文章、見出し文字、ロゴ、線画、イラスト、写真等の複数種類の画像部品のデータで構成されており、一般に、製版工程では、このような複数の部品のデータを作成した後、編集して所定の位置にレイアウトし、例えば、Ｙ、Ｍ、Ｃ、Ｋの４色の製版用フィルムに出力する。その後、当該製版用フィルムから印刷機にかけるための刷版が作成される。
【０００３】
このような製版工程において、例えば、Ｙ、Ｍ、Ｃ、Ｋの各色成分毎に分版された刷版どうしの関係の検査は、例えば、得意先から了解をもらった校了紙と製版用フィルムを重ねてあおる、若しくは製版用フィルムどうしを重ねてあおるといった方法がとられている。
【特許文献１】特開平７−２１９２０２号公報
一方、特開平７−２１９２０２号公報に開示された製版システムにおいては、製版用フィルムを使わずに、ＲＩＰ展開後の修正前後の画像データを比較することにより、検版を行っている。
【０００４】
【発明が解決しようとする課題】
しかしながら、このような従来の製版システムにおいては、ＲＩＰ展開後の修正前後の画像データの差異点を確認することができるが、製版用フィルムのように分版された状態ではないため、トラッピング等の刷版どうしの関係を確認することが困難である。
【０００５】
従って、刷版どうし関係の検査においては、必ず製版用フィルムを必要とするので、コストと時間の無駄を招いている。
【０００６】
そこで、本発明は、上記課題に鑑みてなされたものであり、製版用フィルムを使わなくても刷版出力前の刷版どうしの関係を容易に検査をすることが可能な刷版検査装置、刷版検査方法、刷版検査処理プログラム及び当該プログラムが記録された記録媒体を提供することを目的する。
【０００７】
【課題を解決するための手段】
上記課題を解決するため、請求項１に記載の発明は、所定の色成分毎に分版された刷版どうしの関係を検査する刷版検査装置であって、各前記刷版の画像データを取得する取得手段と、前記取得された刷版の画像データのうち、少なくとも２つの画像データに係る画像を同一の表示画面上に交互に表示する制御を行う表示制御手段と、を備えることを特徴とする。
【０００８】
請求項１に記載の発明によれば、２版の画像データに係る画像を同一の表示画面上に交互に表示するので、刷版どうしの関係、例えば、刷版毎の重なり具合を容易に検査をすることができる。
【０００９】
請求項２に記載の発明は、請求項１に記載の刷版検査装置において、前記画像の表示切換時間を設定する設定手段をさらに備え、前記表示制御手段は、前記設定手段により設定された前記表示切換時間に基づいて、前記画像を同一の表示画面上に交互に表示する制御を行うことを特徴とする。
【００１０】
請求項２に記載の発明によれば、最も刷版どうしの関係を認識しやすいように、画像の表示切換時間を設定することができる。
【００１１】
請求項３に記載の発明は、請求項１に記載の刷版検査装置において、使用者から前記画像の表示切換指示を受け付ける受付手段をさらに備え、前記表示制御手段は、前記受付手段により受け付けられた前記表示切換指示に基づいて、前記画像を同一の表示画面上に交互に表示する制御を行うことを特徴とする。
【００１２】
請求項３に記載の発明によれば、最も刷版どうしの関係を認識しやすいように、使用者自らが画像の表示切換を行うことができる。
【００１３】
請求項４に記載の発明は、所定の色成分毎に分版された刷版どうしの関係を検査する刷版検査装置であって、各前記刷版の画像データを取得する取得手段と、前記取得された刷版の画像データのうち、少なくとも２つの画像データに係る画像を同一の表示画面上に重ねて表示する制御を行うとともに、当該画像の上下関係を変更する制御を行う表示制御手段と、を備えることを特徴とする。
【００１４】
請求項４に記載の発明によれば、２版の画像データに係る画像を同一の表示画面上に重ねて表示し、上下関係を適宜変更するので、刷版どうしの関係、例えば、刷版毎の重なり具合を容易に検査をすることができる。
【００１５】
請求項５に記載の発明は、請求項４に記載の刷版検査装置において、前記表示制御手段は、前記上下関係にある上側の画像における、少なくとも上下の画像の重なり部分を半透明にして表示する制御を行うことを特徴とする。
【００１６】
請求項５に記載の発明によれば、下側の画像も透けて表示されるので、特に、トラッピング等の刷版どうしの関係を容易に検査をすることができる。
【００１７】
請求項６に記載の発明は、請求項４または５に記載の刷版検査装置において、前記画像の上下関係の変更切換時間を設定する設定手段をさらに備え、前記表示制御手段は、前記設定手段により設定された前記変更切換時間に基づいて、前記画像の上下関係を変更する制御を行うことを特徴とする。
【００１８】
請求項６に記載の発明によれば、最も刷版どうしの関係を認識しやすいように、画像の上下関係の変更切換時間を設定することができる。
【００１９】
請求項７に記載の発明は、請求項４または５に記載の刷版検査装置において、使用者から前記画像の上下関係の変更切換指示を受け付ける受付手段をさらに備え、前記表示制御手段は、前記受付手段により受け付けられた前記変更切換指示に基づいて、当該画像の上下関係を変更する制御を行うことを特徴とする。
【００２０】
請求項７に記載の発明によれば、最も刷版どうしの関係を認識しやすいように、使用者自らが画像の上下関係の切換を行うことができる。
【００２１】
請求項８に記載の発明は、請求項１乃至７の何れか一項に記載の刷版検査装置において、前記取得された各前記刷版の画像データ毎に所定の色を割り当てる割当手段をさらに備えることを特徴とする。
【００２２】
請求項８に記載の発明によれば、最も刷版どうしの関係を認識しやすくすることができる。
【００２３】
請求項９に記載の発明は、所定の色成分毎に分版された刷版どうしの関係を検査する刷版検査方法であって、各前記刷版の画像データを取得する工程と、前記取得された刷版の画像データのうち、少なくとも２つの画像データに係る画像を同一の表示画面上に交互に表示する工程と、を備えることを特徴とする。
【００２４】
請求項１０に記載の発明は、所定の色成分毎に分版された刷版どうしの関係を検査する刷版検査方法であって、各前記刷版の画像データを取得する工程と、前記取得された刷版の画像データのうち、少なくとも２つの画像データに係る画像を同一の表示画面上に重ねて表示するとともに、当該画像の上下関係を変更する工程と、を備えることを特徴とする。
【００２５】
請求項１１に記載の発明は、所定の色成分毎に分版された刷版どうしの関係を検査するコンピュータを、各前記刷版の画像データを取得する取得手段、前記取得された刷版の画像データのうち、少なくとも２つの画像データに係る画像を同一の表示画面上に交互に表示する制御を行う表示制御手段、として機能させることを特徴とする。
【００２６】
請求項１２に記載の発明は、所定の色成分毎に分版された刷版どうしの関係を検査するコンピュータを、各前記刷版の画像データを取得する取得手段、前記取得された刷版の画像データのうち、少なくとも２つの画像データに係る画像を同一の表示画面上に重ねて表示する制御を行うとともに、当該画像の上下関係を変更する制御を行う表示制御手段、として機能させることを特徴とする。
【００２７】
請求項１３に記載の発明は、請求項１１または１２に記載の刷版検査処理プログラムがコンピュータ読み取り可能に記録されていることを特徴とする。
【００２８】
【発明の実施の形態】
以下、本発明の好適な実施の形態を添付図面に基づいて説明する。なお、以下の実施形態は、製版システム１に対して本発明を適用した場合の実施形態である。
【００２９】
先ず、図１を参照して、本実施形態にかかる製版システムの構成および機能等を説明する。
【００３０】
図１は、製版システム１の概要構成を示すブロック図の一例である。図１に示すように、製版システム１は、大別すると、ＰＳ入力装置１１、編集レイアウト装置１２、ＲＩＰ展開装置１３、ＣＴＰ（Ｃｏｍｐｕｔｅｒ　Ｔｏ　Ｐｌａｔｅ）装置１４及び刷版検査装置１５を含んで構成される。各装置間のデータの授受は、オンライン、オフラインの何れであってもよいが、本実施形態ではオンラインを適用する。
【００３１】
なお、図１の例では、製版工程の流れも矢印によって示しており、かかる流れに沿って製版システム１の各構成要素の機能等を説明する。
【００３２】
ＰＳ入力装置１１は、例えば、スキャナ部、画像データ読取部、文字認識部及び文字入力部等を備えている。このＰＳ入力装置１１は、使用者の操作の下、文章、見出し文字、ロゴ、線画、イラスト、写真等の複数種類の画像部品のデータ（以下、「ＰＳデータ」という）を入力し、当該ＰＳデータを、例えば専用ケーブルを介して、編集レイアウト装置１２に出力する。
【００３３】
編集レイアウト装置１２は、ＣＰＵを主体として構成され、データ及びプログラムを記憶するための記憶部（ＲＡＭ、ＲＯＭ及びハードディスク等）等を備えている。この編集レイアウト装置１２は、ＰＳ入力装置１から出力されたＰＳデータを取得し記憶部に記憶するとともに、予め記憶部に記憶された製版指示プログラムに従ってページ上に各ＰＳデータを面付け（編集レイアウト処理）して編集データを作成する。そして、編集レイアウト装置１２は、作成された編集データに管理番号を付与して、管理番号が付与された編集データを記憶部に記憶するとともに、例えば専用ケーブルを介して、ＲＩＰ展開装置１３に出力する。なお、編集データに付与される管理番号は、編集データ毎に異なり各編集データを識別するためのものである。
【００３４】
ＲＩＰ展開装置１３は、ＣＰＵを主体として構成され、データ及びプログラムを記憶するための記憶部（ＲＡＭ、ＲＯＭ及びハードディスク等）等を備えている。このＲＩＰ展開装置１３は、編集レイアウト装置１２から出力された編集データ（管理番号が付与されている）を取得し記憶部に記憶するとともに、予め記憶部に記憶されたＲＩＰ展開処理プログラムに従って当該編集データをＲＩＰ展開し、例えば、ＴＩＦＦ形式の画像データに変換する。この画像データは、例えば、イエロー（Ｙ）、マゼンタ（Ｍ）、シアン（Ｃ）、ブラック（Ｋ）及び特色（例えば、客先によって特殊な色）の色成分毎の刷版に分版されている。そして、ＲＩＰ展開装置１３は、その画像データを編集データに対応付けて記憶部に記憶するとともに、管理番号が付与された画像データを、例えば専用ケーブルを介して、ＣＴＰ装置１４及び刷版検査装置１５に出力する。
【００３５】
ＣＴＰ装置１４は、ＣＰＵを主体として構成され、データ及びプログラムを記憶するための記憶部（ＲＡＭ、ＲＯＭ及びハードディスク等の記録媒体）、更には、レーザ光発生部等を備えている。このＣＴＰ装置１４は、ＲＩＰ展開装置１３から出力された画像データ（管理番号が付与されている）を取得し記憶部に記憶するとともに、当該画像データを光源制御情報に変換する。そして、ＣＴＰ装置１４は、レーザ光発生装置からレーザ光（例えば、Ａｒレーザ、半導体レーザ等）を発生させ、ＣＴＰ刷版に当該レーザ光を照射、光源制御情報に従って走査し現像する。なお、かかる走査は、刷版検査装置１５から供給される後述する検査結果が良好の場合に行われるようになっている。
【００３６】
そして、刷版検査装置１５は、上記色成分毎に分版された刷版どうしの関係（例えば、刷版どうしの重なり具合等）を検査するものであり、図１に示すように、編集レイアウト装置１２、ＲＩＰ展開装置１３及びＣＴＰ装置１４と専用ケーブルを介して各種情報の授受を行うためのＩ／Ｆ（インターフェイス）部１５ａ、使用者から各種指示を受け付ける受付手段としての操作入力部（キーボード等）１５ｂ、画像データを表示する表示部（ＣＲＴ或いは液晶ディスプレイ等）１５ｃ、データ及びプログラムを記憶するための記憶部（ＲＡＭ、ＲＯＭ及びハードディスク等）１５ｄ及び、コンピュータとしてのＣＰＵを主体としバッファメモリ等を含んで構成された演算処理部１５ｅを備えている。
【００３７】
演算処理部１５ｅは、例えば、ＲＯＭに記憶された刷版検査プログラムにより、本発明の取得手段、割当手段、設定手段及び表示制御手段として機能する。より具体的には、演算処理部１５ｅは、取得手段として機能し、ＲＩＰ展開装置１３から出力された画像データ（管理番号が付与されている）をＩ／Ｆ（インターフェイス）部１５ａを介して取得する。また、演算処理部１５ｅは、割当手段として機能し、取得された各刷版の画像データ毎に所定の色を割り当てる。また、演算処理部１５ｅは、設定手段として機能し、例えば、使用者からの操作入力部１５ｂを介した指示に従って後述する画像の表示切換時間や、画像の上下関係の変更切換時間を設定する。また、演算処理部１５ｅは、設定手段として、使用者からの操作入力部１５ｂを介した指示に従って画像の表示切換及び上下関係の変更切換等の自動／手動モード設定を行う。
【００３８】
また、演算処理部１５ｅは、表示制御手段として機能し、取得された画像データの特徴的な表示制御を行う。かかる特徴的な表示制御により、使用者は、上記色成分毎に分版された刷版どうしの関係を認識することができる。このような特徴的な表示制御には種々の処理があるが、後述する。なお、刷版検査処理プログラムを、フロッピー（Ｒ）ディスク（ＦＤ）或いは、ＭＯ（Ｍａｇｎｅｔｏ−Ｏｐｔｉｃａｌ）、カード型記録媒体等の記録媒体に記憶し、そこから刷版検査装置１５の演算処理部１５ｅにインストールしてもよい。
【００３９】
次に、図２乃至図７を参照して、製版システム１の製版工程における刷版検査装置１５の動作を説明する。なお、以下では、かかる刷版検査装置１５の動作を演算処理部１５ｅの特徴的な種々の表示制御処理の態様に応じ、第１実施形態から第３実施形態に分けて説明する。
【００４０】
（第１実施形態）
図２は、第１実施形態における製版工程において、色成分毎に分版された刷版どうしの関係の検査が行われるときの演算処理部１５ｅの処理を示すフローチャートである。図３は、図２の処理が行われることにより、表示部１５ｃの表示画面上に画像が表示される様子を示す図である。
【００４１】
図２の処理において、先ず、演算処理部１５ｅは、取得手段として、ＲＩＰ展開装置１３から出力された画像データをＩ／Ｆ（インターフェイス）部１５ａを介して取得する（ステップＳ１）。つまり、分版された各刷版（Ｙ、Ｍ、Ｃ、Ｋ及び特色）の画像データが取得されることになる。
【００４２】
次に、演算処理部１５ｅは、割当手段として、取得された各刷版の画像データ毎に所定の色を割り当て（色づけ処理）（ステップＳ２）、それらの画像データを記憶部（例えば、ハードディスク）１５ｄに記憶する。かかる色づけ処理は、当該画像データに係る画像が表示部１５ｃにおける表示画面上に表示されたときに、使用者が、刷版どうしの関係、例えば、重なり具合を認識しやすくするためのものである。従って、かかる関係を認識しやすい色であればどのような色を割り当てても構わない。
【００４３】
そして、これ以降、演算処理部１５ｅは、表示制御手段として機能する。先ず、演算処理部１５ｅは、記憶部１５ｄに記憶された５版（５つ）の画像データのうち、２版（２つ）の画像データを選択しバッファメモリに読み込む（ステップＳ３）。ここで、この２版の画像データは、予め記憶部１５ｄに設定された情報（例えば、Ｙ、Ｍ、Ｃ、Ｋ、特色の刷版の順に検査をするとの情報）に基づいて選択されるようにしてもよいし、使用者からの操作入力部１５ｂを介した版選択指示（例えば、Ｙ、Ｍ、Ｃ、Ｋ、特色の刷版のそれぞれに対応するボタンのうち、使用者が刷版検査したい２つの刷版（例えば、Ｍと特色）に対応するボタンの押下による入力指示）に基づいて選択されるようにしてもよい。
【００４４】
次に、演算処理部１５ｅは、バッファメモリに読み込まれた２版の画像データのうち、何れか一方の画像データに係る画像を表示部１５ｃにおける表示画面上に表示する（ステップＳ４）。次に、演算処理部１５ｅは、使用者から操作入力部１５ｂを介して新たに２版の画像データの選択指示があったか否かを判断する（ステップＳ５）。使用者から新たに２版の画像データの選択指示があった場合には、演算処理部１５ｅは、選択指示があった２版の画像データを選択し、現在、バッファメモリに存在する画像データに代えて読み込み（ステップＳ６）、何れか一方の画像データに係る画像を表示部１５ｃにおける表示画面上に表示し（ステップＳ７）、ステップＳ８に移行する。一方、新たに２版の画像データの選択指示がなかった場合には、演算処理部１５ｅは、ステップＳ８に移行する。
【００４５】
ステップＳ８では、演算処理部１５ｅは、記憶部１５ｄに記憶された画像の表示切換の自動／手動モード設定を参照し、かかる設定が自動であるか否かを判別する。このような設定は、上述したように、演算処理部１５ｅ（設定手段）により、使用者からの操作入力部１５ｂを介した指示（例えば、自動と手動のそれぞれに対応するボタンの押下による入力指示）に従って行なわれ、記憶部１５ｄに記憶される。
【００４６】
演算処理部１５ｅは、自動モード設定であると判別した場合、記憶部１５ｄから画像の表示切換時間（例えば、１秒以下）を取得する（ステップＳ９）。この表示切換時間は、上述したように、演算処理部１５ｅ（設定手段）により、例えば、使用者からの操作入力部１５ｂを介した指示（例えば、表示切換時間調整つまみの操作による入力指示、或いは、数字ボタンの押下による入力指示）に従って設定され、記憶部１５ｄに記憶される。なお、手動モード設定である場合については後述する。
【００４７】
次に、演算処理部１５ｅは、時間カウントを開始し、取得された画像の表示切換時間に達したか否かを判別する（ステップＳ１０）。当該表示切換時間に達していない場合、演算処理部１５ｅは、ステップＳ１４に移行する。ステップＳ１４では、演算処理部１５ｅは、刷版検査終了をするか否かを判別する。例えば、使用者からの操作入力部１５ｂを介した終了指示（例えば、刷版検査終了に対応するボタンの押下による入力指示）がない場合には、演算処理部１５ｅは、ステップＳ５に戻る。
【００４８】
こうして、演算処理部１５ｅは、上述と同様に、ステップＳ５からＳ９の処理を経て、ステップＳ１０で取得された画像の表示切換時間に達したか否かを判別し、当該表示切換時間に達した場合には、ステップＳ１１に移行するとともに、時間カウントをクリアする。そして、演算処理部１５ｅは、バッファメモリに読み込まれ現在表示されている一方の画像データに係る画像（ステップＳ４で表示された画像）に代えて、他方の画像データに係る画像を表示部１５ｃにおける表示画面上に表示する（ステップＳ１１）。
【００４９】
このように自動モード設定の場合、演算処理部１５ｅは、画像の表示切換時間に達する度に表示部１５ｃにおける表示画面上に表示された画像を切り換える。つまり、演算処理部１５ｅは、当該画像の表示切換時間に基づいて、バッファメモリに記憶された２版の画像データに係る画像を、図３に示すように、表示部１５ｃにおける同一の表示画面上に交互に表示する制御を行うことになる。なお、図３に示す例では、背景を黒色で示している。
【００５０】
一方、上記ステップＳ８において、演算処理部１５ｅが、自動モード設定でないと判別した場合、つまり、手動モード設定の場合、ステップＳ１２に移行する。ステップＳ１２では、演算処理部１５ｅは、使用者からの操作入力部１５ｂを介した画像の表示切換指示（例えば、画像の表示切換指示に対応するボタンの押下による入力指示）があったか否かを判別する。演算処理部１５ｅが画像の表示切換指示がないと判別した場合には、ステップＳ１４に移行する。一方、演算処理部１５ｅは、画像の表示切換指示があったと判別した場合には、上記ステップＳ１１と同様、バッファメモリに読み込まれ現在表示されている一方の画像データに係る画像（ステップＳ４で表示された画像）に代えて、他方の画像データに係る画像を表示部１５ｃにおける表示画面上に表示する（ステップＳ１３）。
【００５１】
このように手動モード設定の場合、演算処理部１５ｅは、使用者からの画像の表示切換指示がある度に表示部１５ｃにおける表示画面上に表示された画像を切り換える。つまり、演算処理部１５ｅは、当該表示切換指示に基づいて、バッファメモリに記憶された２版の画像データに係る画像を、図３に示すように、表示部１５ｃにおける同一の表示画面上に交互に表示する制御を行うことになる。
【００５２】
このように、自動モード或いは、手動モードの何れにおいても、演算処理部１５ｅは、２版の画像データに係る画像を同一の表示画面上に交互に表示するので、使用者は、刷版どうしの関係、例えば、重なり具合を容易に認識することができ、刷版どうしの関係を容易に検査をすることができる。また、従来、熟練者が各刷版のフィルムどうしを重ねてあおるといった検査におけるノウハウを、例えば、画像の表示切換時間の設定により、熟練度を必要とすることなく活かすこともできる。
【００５３】
次に、使用者は、例えば、全ての刷版どうしの関係を検査した後、例えば、使用者が操作入力部１５ｂを介して終了指示をすると、演算処理部１５ｅは、これに応じ（ステップＳ１４）、使用者に刷版検査結果の入力を促し、かかる入力を待つ（ステップＳ１５）。使用者が、例えば、操作入力部１５ｂから検査結果（良若しくは不良（不良の場合その内容））の入力を行うと、演算処理部１５ｅは、これに応じ、入力された検査結果及び検査された画像データの管理番号を、Ｉ／Ｆ部１５ａを介して、編集レイアウト装置１２、ＲＩＰ展開装置１３及びＣＴＰ装置１４に出力する（ステップＳ１６）。
【００５４】
検査結果が良の場合、ＣＴＰ装置１４は、受け取った画像データの管理番号に対応する画像データに関し、ＣＴＰ刷版に当該レーザ光を照射、光源制御情報に従って走査する処理を行う。
【００５５】
一方、検査結果が不良の場合、ＣＴＰ装置１４は、当該走査を行わない。その代わりに、編集レイアウト装置１２は、受け取った画像データの管理番号に対応する画像データに関し、受け取った不良の内容に応じて編集レイアウト処理をやり直すか否か決定し、やり直す場合には、再度、編集レイアウト処理後の編集データをＲＩＰ展開装置１３に出力する。また、ＲＩＰ展開装置１３も、受け取った画像データの管理番号に対応する画像データに関し、受け取った不良の内容に応じてＲＩＰ展開を行い、ＲＩＰ展開後の画像データを、ＣＴＰ装置１４及び刷版検査装置１５に出力する。これにより、画像をＣＴＰ刷版に現像する前に、刷版どうしの関係を検査することができるので、歩留りを良くし、製版工程の効率化を図ることができる。
【００５６】
（第２実施形態）
図４は、第２実施形態における製版工程において、色成分毎に分版された刷版どうしの関係の検査が行われるときの演算処理部１５ｅの処理を示すフローチャートである。図５は、図４の処理が行われることにより、表示部１５ｃの表示画面上に画像が表示される様子を示す図である。
【００５７】
図４の処理において、ステップＳ２１からＳ２３までの処理は、図２に示すステップ１からステップＳ３までの処理と同様であるので、説明を省略する。
【００５８】
ステップＳ２４では、演算処理部１５ｅは、バッファメモリに読み込まれた２版の画像データを重ねて表示部１５ｃにおける表示画面上に表示する。例えば、図５の符号１５１部に示すように、Ｍの刷版の画像が上側（使用者から見て手前側）、特色の刷版の画像が下側（使用者から見て奧側）になって表示される。この際、下側の画像は、上側の画像と重なっていない部分のみ（図５の符号１５１部の例では、上側の画像の中央の四角部分）が表示されることになる。
【００５９】
次に、演算処理部１５ｅは、使用者から操作入力部１５ｂを介して新たに２版の画像データの選択指示があったか否かを判断する（ステップＳ２５）。使用者から新たに２版の画像データの選択指示があった場合には、演算処理部１５ｅは、選択指示があった２版の画像データを選択し、現在、バッファメモリに存在する画像データに代えて読み込み（ステップＳ２６）、ステップＳ２４と同様、これらの画像データを重ねて表示部１５ｃにおける表示画面上に表示し（ステップＳ２７）、ステップＳ２８に移行する。一方、新たに２版の画像データの選択指示がなかった場合には、演算処理部１５ｅは、ステップＳ２８に移行する。
【００６０】
ステップＳ２８では、図２に示すステップＳ８と同様、演算処理部１５ｅは、記憶部１５ｄに記憶された画像の表示切換の自動／手動モード設定を参照し、かかる設定が自動であるか否かを判別する。
【００６１】
演算処理部１５ｅは、自動モード設定であると判別した場合、記憶部１５ｄから画像の上下関係の変更切換時間（例えば、１秒以下）を取得する（ステップＳ２９）。この変更切換時間は、上述したように、演算処理部１５ｅ（設定手段）により、例えば、使用者からの操作入力部１５ｂを介した指示（例えば、変更切換時間調整つまみの操作による入力指示、或いは、数字ボタンの押下による入力指示）に従って設定され、記憶部１５ｄに記憶される。
【００６２】
次に、演算処理部１５ｅは、時間カウントを開始し、取得された画像の上下関係の変更切換時間に達したか否かを判別する（ステップＳ３０）。そして、当該変更切換時間に達した場合には、演算処理部１５ｅは、時間カウントをクリアし、演算処理部１５ｅは、現在重なって表示されている２版の画像の上下関係を変更して表示部１５ｃにおける表示画面上に表示する（ステップＳ３１）。つまり、例えば、図５の符号１５２部に示すように、特色の刷版の画像が上側、Ｍの刷版の画像が下側になって表示される。この際、下側の画像は、上側の画像と重なっていない部分のみが表示されることになる。
【００６３】
このように自動モード設定の場合、演算処理部１５ｅは、画像の上限関係の変更切換時間に達する度に表示部１５ｃにおける表示画面上に表示された画像の上下を切り換える。つまり、演算処理部１５ｅは、当該画像の上下関係の変更切換時間に基づいて、図３に示すように、表示部１５ｃにおける同一の表示画面上に重なって表示されている画像の上下関係を変更する制御を行うことになる。
【００６４】
一方、上記ステップＳ２８において、演算処理部１５ｅが、自動モード設定でないと判別した場合、つまり、手動モード設定の場合、演算処理部１５ｅは、使用者からの操作入力部１５ｂを介した画像の上下関係の変更切換指示（例えば、画像の上下関係の変更切換指示に対応するボタンの押下による入力指示）があったか否かを判別する（ステップＳ３２）。そして、当該変更切換指示があった場合には、上記ステップＳ３１と同様、演算処理部１５ｅは、現在重なって表示されている２版の画像の上下関係を変更して表示部１５ｃにおける表示画面上に表示する（ステップＳ３３）。
【００６５】
このように手動モード設定の場合、演算処理部１５ｅは、使用者からの画像の上下関係の変更切換指示がある度に表示部１５ｃにおける表示画面上に表示された画像の上下を切り換える。つまり、演算処理部１５ｅは、当該変更切換指示に基づいて、図３に示すように、表示部１５ｃにおける同一の表示画面上に重なって表示されている画像の上下関係を変更する制御を行うことになる。
【００６６】
このように、第２実施形態においても、使用者は、刷版どうしの関係、例えば、重なり具合を容易に認識することができ、刷版どうしの関係を容易に検査をすることができる。また、第２実施形態においては、画像の上下関係が適宜変更されながら重なって表示されるので、より一層、刷版どうしの重なり具合を容易に把握することができる。
【００６７】
なお、ステップＳ３５及びステップＳ３６の処理は、図２に示すステップ１５及びステップＳ１６の処理と同様であるので、説明を省略する。
【００６８】
（第３実施形態）
第３実施形態は、第２実施形態の変形例であるので、図４に示すフローチャートを参照して、主に、第２実施形態と異なる部分について説明する。図６は、第３実施形態において、表示部１５ｃの表示画面上に画像が表示される様子を示す図である。
【００６９】
演算処理部１５ｅは、図４に示すステップＳ２４の処理において、上下関係にある上側の画像における、少なくとも上下の画像の重なり部分を半透明にして表示する制御を行う。つまり、第２実施形態においては、下側の画像は、上側の画像と重なっていない部分のみが表示されたが、第３実施形態においては、図６に示すように、下側の画像は、上側の画像と重なっている部分も透けて表示されるようになる（図６に示す符号１５３部では、下側の画像のうち、上側の画像と重なって透けて表示される部分は、点線で示されている）。
【００７０】
そして、図４に示すステップＳ３１及びステップＳ３３の処理において、演算処理部１５ｅが、現在重なって表示されている２版の画像の上下関係を変更して表示部１５ｃにおける表示画面上に表示する際にも、図６に示す符号１５４部に示すように、上側の画像における、上下の画像の重なり部分を半透明にして表示する制御を行う。
【００７１】
このような上側画像を半透明にする表示制御は、予め記憶部１５ｄに記憶された下記半透明処理式Ｘに基づいて行われる。
【００７２】
Ｘ＝Ｕｐｐｅｒ×α＋Ｌｏｗｅｒ（１．０−α）
ここで、Ｕｐｐｅｒは上側の分版画像のＲＧＢ値を、Ｌｏｗｅｒは下側の分版画像のＲＧＢ値を、αはＵｐｐｅｒの不透明度（０．５＜α＜１．０）を、それぞれ示す。
【００７３】
つまり、演算処理部１５ｅは、バッファメモリに読み込まれた２版の画像データの重なり部分を算出し、上側に表示される画像に対応する画像データのうち、算出された重なり部分を上記半透明処理式Ｘに従って半透明にする処理を行う。
【００７４】
このように、第３実施形態においても、使用者は、刷版どうしの関係、例えば、重なり具合を容易に認識することができ、刷版どうしの関係を容易に検査をすることができる。また、第３実施形態においては、上側の画像における上下の画像の重なり部分を半透明にすることにより、上側の画像と重なっている下側の画像も透けて表示されるので、トラッピング等の刷版どうしの関係をより一層、容易に把握することができる。
【００７５】
以上説明したように、上記実施形態によれば、製版用フィルムを使わなくても刷版出力前の刷版どうしの関係を容易に検査をすることができる。また、熟練者の検査ノウハウを活かしつつ、熟練者でなくとも精度の高い検査を行うことができる。
【００７６】
更に、画像をＣＴＰ刷版に現像する前に、刷版どうしの関係を検査することができるので、歩留りを良くし、製版工程の効率化を図ることができる。また、製版フィルムを使わないＣＴＰによる製版を容易に適用することができ、製版用フィルム破損要因減少、検査時間短縮及び材料費削減が見込まれるという効果もある。
【００７７】
なお、上記実施形態においては、演算処理部１５ｅは、記憶部１５ｄに記憶された５版の画像データのうち、２版の画像データを選択しバッファメモリに読み込み、それら２版の画像データの表示制御を行うように構成したが、これに限定されるものではなく、例えば、５版の画像データのうち、３版以上の画像データを選択しバッファメモリに読み込み、それら３版以上の画像データの表示制御を行うように構成してもよい。
【００７８】
また、上記実施形態においては、ＲＩＰ展開装置１３は、編集データをＲＩＰ展開し、例えば、ＴＩＦＦ形式の画像データに変換して、刷版検査装置１５に出力するように構成したが、画像データの形式はこれに限定されるものではなく、例えば、ビットマップ形式の画像データであってもよい。
【００７９】
また、上記実施形態においては、製版システム１に製版用フィルムを使わないＣＴＰ装置１４を適用したが、ＣＴＰ装置１４が公知のフィルム装置（Ｙ、Ｍ、Ｃ、Ｋ、特色の５色の製版用フィルムを作成）等であっても、本発明を適用することができる。
【００８０】
【発明の効果】
以上説明したように、本発明によれば、製版用フィルムを使わなくても刷版出力前の刷版どうしの関係を容易に検査をすることができる。従って、製版の歩留りを良くし、製版工程の効率化を図ることができる。
【図面の簡単な説明】
【図１】製版システム１の概要構成を示すブロックの一例を示す図である。
【図２】第１実施形態における製版工程において、色成分毎に分版された刷版どうしの関係の検査が行われるときの演算処理部１５ｅの処理を示すフローチャートである。
【図３】図２の処理が行われることにより、表示部１５ｃの表示画面上に画像が表示される様子を示す図である。
【図４】第２実施形態における製版工程において、色成分毎に分版された刷版どうしの関係の検査が行われるときの演算処理部１５ｅの処理を示すフローチャートである。
【図５】図４の処理が行われることにより、表示部１５ｃの表示画面上に画像が表示される様子を示す図である。
【図６】第３実施形態において、表示部１５ｃの表示画面上に画像が表示される様子を示す図である。
【符号の説明】
１　製版システム
１１　ＰＳ入力装置
１２　編集レイアウト装置
１３　ＲＩＰ展開装置
１４　ＣＴＰ装置
１５　刷版検査装置
１５ａ　Ｉ／Ｆ部
１５ｂ　操作入力部
１５ｃ　表示部
１５ｄ　記憶部
１５ｅ　演算処理部
【図１】
2004102196.tif 000003
【図２】
2004102196.tif 000004
【図３】
2004102196.tif 000005
【図４】
2004102196.tif 000006
【図５】
2004102196.tif 000007
【図６】
2004102196.tif 000008